【手続補正書】
【提出日】平成17年7月25日(2005.7.25)
【手続補正１】
【補正対象書類名】明細書
【補正対象項目名】特許請求の範囲
【補正方法】変更
【補正の内容】
【特許請求の範囲】
【請求項１】
遊技者が所定の遊技を行うことが可能な遊技機であって、
制御を行う際に発生する変動データを記憶する遊技制御用変動データ記憶手段を有し、遊技の進行を制御する遊技制御用マイクロコンピュータと、
制御を行う際に発生する変動データを記憶する払出制御用変動データ記憶手段を有し、遊技媒体の払出の制御を行う払出制御用マイクロコンピュータと、
遊技機への電力供給が停止していても前記遊技制御用変動データ記憶手段および前記払出制御用変動データ記憶手段の記憶内容を所定期間保持させることが可能な記憶内容保持手段と、
前記遊技制御用マイクロコンピュータが搭載された遊技制御基板および前記払出制御用マイクロコンピュータが搭載された払出制御基板で用いられる電圧を作成する電源基板と、
遊技機で使用される所定の電源の状態を監視して電源断の発生を検出したときに検出信号を出力する電源監視手段とを備え、
前記遊技制御用マイクロコンピュータは、前記検出信号の入力に応じて、前記遊技制御用変動データ記憶手段の記憶内容が正常か否かの判定に用いるチェックデータの作成処理を含む遊技制御用電力供給停止時処理を実行した後に待機状態に移行し、電力供給が開始されたときに、該チェックデータにもとづいて前記遊技制御用変動データ記憶手段の記憶内容が正常であることを確認したことを条件に前記遊技制御用変動データ記憶手段に保存されていた記憶内容にもとづいて制御状態を前記遊技制御用電力供給停止時処理を開始したときの状態に復旧させる遊技制御用状態復帰制御を実行し、
前記払出制御用マイクロコンピュータは、前記検出信号の入力に応じて、前記払出制御用変動データ記憶手段の記憶内容が正常か否かの判定に用いるチェックデータの作成処理を含む払出制御用電力供給停止時処理を実行した後に待機状態に移行し、電力供給が開始されたときに、該チェックデータにもとづいて前記払出制御用変動データ記憶手段の記憶内容が正常であることを確認したことを条件に前記払出制御用変動データ記憶手段に保存されていた記憶内容にもとづいて制御状態を前記払出制御用電力供給停止時処理を開始したときの状態に復旧させる払出制御用状態復帰制御を実行し、
前記電源監視手段が前記検出信号を出力した後の所定期間経過後に電力供給が停止していないときに、前記待機状態から復帰させるための復帰信号を出力する復帰信号出力手段を備え、
前記遊技制御用マイクロコンピュータおよび前記払出制御用マイクロコンピュータは、前記待機状態中に前記復帰信号が入力されたときに、前記遊技制御用状態復帰制御および前記払出制御用状態復帰制御を実行し、
前記電源監視手段は前記電源基板に設けられ、単一の前記電源監視手段から前記遊技制御用マイクロコンピュータおよび前記払出制御用マイクロコンピュータのそれぞれに検出信号が分岐して出力される
ことを特徴とする遊技機。
【請求項２】
遊技制御用マイクロコンピュータは、電力供給が開始されたときまたは復帰信号の入力に応じて、チェックデータにもとづいて遊技制御用変動データ記憶手段に記憶されている記憶内容が正常でないと判定したときには前記遊技制御用変動データ記憶手段の記憶内容を初期化し、
払出制御用マイクロコンピュータは、電力供給が開始されたときまたは復帰信号の入力に応じて、チェックデータにもとづいて払出制御用変動データ記憶手段に記憶されている記憶内容が正常でないと判定したときには前記払出制御用変動データ記憶手段の記憶内容を初期化する
請求項１記載の遊技機。
【請求項３】
操作に応じて操作信号を出力する初期化操作手段を備え、
遊技制御用マイクロコンピュータは、電力供給が開始されたときまたは復帰信号の入力に応じて、前記初期化操作手段から前記操作信号が出力されているか否かを確認する遊技制御側操作信号確認処理を実行し、該遊技制御側操作信号確認処理によって前記初期化操作手段から前記操作信号が出力されていないことが確認されたときに、チェックデータにもとづいて遊技制御用変動データ記憶手段の記憶内容が正常か否かの判定を行い、
払出制御用マイクロコンピュータは、電力供給が開始されたときまたは復帰信号の入力に応じて、前記初期化操作手段から前記操作信号が出力されているか否かを確認する払出制御側操作信号確認処理を実行し、該払出制御側操作信号確認処理によって前記初期化操作手段から前記操作信号が出力されていないことが確認されたときに、チェックデータにもとづいて払出制御用変動データ記憶手段の記憶内容が正常か否かの判定を行う
請求項１または請求項２記載の遊技機。
【請求項４】
遊技制御用マイクロコンピュータは、電力供給が開始されたときまたは復帰信号の入力に応じて、遊技制御側操作信号確認処理によって初期化操作手段から操作信号が出力されていることが確認されたときには遊技制御用変動データ記憶手段の記憶内容を初期化し、
払出制御用マイクロコンピュータは、電力供給が開始されたときまたは復帰信号の入力に応じて、払出制御側操作信号確認処理によって前記初期化操作手段から前記操作信号が出力されていることが確認されたときには払出制御用変動データ記憶手段の記憶内容を初期化する
請求項３記載の遊技機。
【請求項５】
復帰信号出力手段は、遊技制御用マイクロコンピュータに復帰信号を出力する第１の復帰信号出力手段と、払出制御用マイクロコンピュータに復帰信号を出力する第２の復帰信号出力手段とを含み、
前記第２の復帰信号出力手段が前記払出制御用マイクロコンピュータに復帰信号を出力した後に、前記第１の復帰信号出力手段が前記遊技制御用マイクロコンピュータに復帰信号を出力する
請求項１から請求項４のうちのいずれかに記載の遊技機。
【請求項６】
遊技制御用マイクロコンピュータは、遊技制御用変動データ記憶手段の記憶内容にもとづいた演算を行うことによりチェックデータを作成し、
払出制御用マイクロコンピュータは、払出制御用変動データ記憶手段の記憶内容にもとづいた演算を行うことによりチェックデータを作成する
請求項１から請求項５のうちのいずれかに記載の遊技機。
【請求項７】
遊技制御用マイクロコンピュータが信号を出力するための出力ポートを備え、
前記遊技制御用マイクロコンピュータは、遊技制御用電力供給停止時処理で、前記出力ポートに出力される信号をクリアする出力ポートクリア処理を行う
請求項１から請求項６のうちのいずれかに記載の遊技機。
【請求項８】
払出制御用マイクロコンピュータが信号を出力するための出力ポートを備え、
前記払出制御用マイクロコンピュータは、払出制御用電力供給停止時処理で、前記出力ポートに出力される信号をクリアする出力ポートクリア処理を行う
請求項１から請求項７のうちのいずれかに記載の遊技機。
【請求項９】
遊技媒体の払い出しを行う払出手段と、該払出手段から払い出された遊技媒体を検出するための遊技媒体検出手段とを備え、
払出制御用マイクロコンピュータは、電源監視手段が検出信号を出力したときに、前記遊技媒体検出手段からの検出信号の入力処理を所定期間実行した後、払出制御用電力供給停止時処理を行う
請求項１から請求項８のうちのいずれかに記載の遊技機。
【請求項１０】
遊技制御用マイクロコンピュータは、
電力供給が開始されたときに、定期的にタイマ割込が発生するように設定し、
定期的に発生するタイマ割込が生じたことにもとづいて遊技の進行を制御するための割込処理を実行し、
遊技制御用電力供給停止時処理にて、前記割込処理の実行を禁止する割込禁止状態または実行を許可する割込許可状態のうちいずれの状態であるかを示す割込状態データを遊技制御用変動データ記憶手段に保存させる処理を実行し、
電力供給が開始されたときに、前記割込状態データにもとづいて割込禁止状態または割込許可状態に復旧させる状態復旧処理を行う
請求項１から請求項９のうちのいずれかに記載の遊技機。
【請求項１１】
払出制御用マイクロコンピュータは、
電力供給が開始されたときに、定期的にタイマ割込が発生するように設定し、
定期的に発生するタイマ割込が生じたことにもとづいて遊技の進行を制御するための割込処理を実行し、
払出制御用電力供給停止時処理にて、前記割込処理の実行を禁止する割込禁止状態または実行を許可する割込許可状態のうちいずれの状態であるかを示す割込状態データを払出制御用変動データ記憶手段に保存させる処理を実行し、
電力供給が開始されたときに、前記割込状態データにもとづいて割込禁止状態または割込許可状態に復旧させる状態復旧処理を行う
請求項１から請求項１０のうちのいずれかに記載の遊技機。
【請求項１２】
遊技制御用マイクロコンピュータは、入賞に応じた遊技媒体の払出数を指定する払出制御コマンドを払出制御用マイクロコンピュータに送信し、
前記払出制御用マイクロコンピュータは、前記払出制御コマンドの受信に応じて、払出手段を制御して前記払出制御コマンドで指定された払出数の遊技媒体の払い出しを行い、
前記払出制御コマンドを受信しているときは、割込禁止状態に制御する
請求項１１記載の遊技機。
【手続補正２】
【補正対象書類名】明細書
【補正対象項目名】００１１
【補正方法】変更
【補正の内容】
【００１１】
【課題を解決するための手段】
本発明による遊技機は、遊技者が所定の遊技を行うことが可能な遊技機であって、制御を行う際に発生する変動データを記憶する遊技制御用変動データ記憶手段を有し、遊技の進行を制御する遊技制御用マイクロコンピュータと、制御を行う際に発生する変動データを記憶する払出制御用変動データ記憶手段を有し、遊技媒体の払出の制御を行う払出制御用マイクロコンピュータと、遊技機への電力供給が停止していても遊技制御用変動データ記憶手段および払出制御用変動データ記憶手段の記憶内容を所定期間保持させることが可能な記憶内容保持手段と、遊技制御用マイクロコンピュータが搭載された遊技制御基板および払出制御用マイクロコンピュータが搭載された払出制御基板で用いられる電圧を作成する電源基板と、遊技機で使用される所定の電源の状態を監視して電源断の発生を検出したときに検出信号を出力する電源監視手段とを備え、遊技制御用マイクロコンピュータは、検出信号の入力に応じて、遊技制御用変動データ記憶手段の記憶内容が正常か否かの判定に用いるチェックデータの作成処理を含む遊技制御用電力供給停止時処理を実行した後に待機状態に移行し、電力供給が開始されたときに、該チェックデータにもとづいて遊技制御用変動データ記憶手段の記憶内容が正常であることを確認したことを条件に遊技制御用変動データ記憶手段に保存されていた記憶内容にもとづいて制御状態を遊技制御用電力供給停止時処理を開始したときの状態に復旧させる遊技制御用状態復帰制御を実行し、払出制御用マイクロコンピュータは、検出信号の入力に応じて、払出制御用変動データ記憶手段の記憶内容が正常か否かの判定に用いるチェックデータの作成処理を含む払出制御用電力供給停止時処理を実行した後に待機状態に移行し、電力供給が開始されたときに、該チェックデータにもとづいて払出制御用変動データ記憶手段の記憶内容が正常であることを確認したことを条件に払出制御用変動データ記憶手段に保存されていた記憶内容にもとづいて制御状態を払出制御用電力供給停止時処理を開始したときの状態に復旧させる払出制御用状態復帰制御を実行し、電源監視手段が検出信号を出力した後の所定期間経過後に電力供給が停止していないときに、待機状態から復帰させるための復帰信号を出力する復帰信号出力手段を備え、遊技制御用マイクロコンピュータおよび払出制御用マイクロコンピュータは、待機状態中に復帰信号が入力されたときに、遊技制御用状態復帰制御および払出制御用状態復帰制御を実行し、電源監視手段は電源基板に設けられ、単一の電源監視手段から遊技制御用マイクロコンピュータおよび払出制御用マイクロコンピュータのそれぞれに検出信号が分岐して出力されることを特徴とする。
【手続補正３】
【補正対象書類名】明細書
【補正対象項目名】００１２
【補正方法】変更
【補正の内容】
【００１２】
遊技制御用マイクロコンピュータは、電力供給が開始されたときまたは復帰信号の入力に応じて、チェックデータにもとづいて遊技制御用変動データ記憶手段に記憶されている記憶内容が正常でないと判定したときには遊技制御用変動データ記憶手段の記憶内容を初期化し、払出制御用マイクロコンピュータは、電力供給が開始されたときまたは復帰信号の入力に応じて、チェックデータにもとづいて払出制御用変動データ記憶手段に記憶されている記憶内容が正常でないと判定したときには払出制御用変動データ記憶手段の記憶内容を初期化するように構成されていてもよい。
【手続補正４】
【補正対象書類名】明細書
【補正対象項目名】００１３
【補正方法】変更
【補正の内容】
【００１３】
操作に応じて操作信号を出力する初期化操作手段を備え、遊技制御用マイクロコンピュータは、電力供給が開始されたときまたは復帰信号の入力に応じて、初期化操作手段から操作信号が出力されているか否かを確認する遊技制御側操作信号確認処理を実行し、該遊技制御側操作信号確認処理によって初期化操作手段から操作信号が出力されていないことが確認されたときに、チェックデータにもとづいて遊技制御用変動データ記憶手段の記憶内容が正常か否かの判定を行い、払出制御用マイクロコンピュータは、電力供給が開始されたときまたは復帰信号の入力に応じて、初期化操作手段から操作信号が出力されているか否かを確認する払出制御側操作信号確認処理を実行し、該払出制御側操作信号確認処理によって初期化操作手段から操作信号が出力されていないことが確認されたときに、チェックデータにもとづいて払出制御用変動データ記憶手段の記憶内容が正常か否かの判定を行うように構成されていてもよい。
【手続補正５】
【補正対象書類名】明細書
【補正対象項目名】００１４
【補正方法】変更
【補正の内容】
【００１４】
遊技制御用マイクロコンピュータは、電力供給が開始されたときまたは復帰信号の入力に応じて、遊技制御側操作信号確認処理によって初期化操作手段から操作信号が出力されていることが確認されたときには遊技制御用変動データ記憶手段の記憶内容を初期化し、払出制御用マイクロコンピュータは、電力供給が開始されたときまたは復帰信号の入力に応じて、払出制御側操作信号確認処理によって初期化操作手段から操作信号が出力されていることが確認されたときには払出制御用変動データ記憶手段の記憶内容を初期化するように構成されていてもよい。
【手続補正６】
【補正対象書類名】明細書
【補正対象項目名】００１５
【補正方法】変更
【補正の内容】
【００１５】
復帰信号出力手段は、遊技制御用マイクロコンピュータに復帰信号を出力する第１の復帰信号出力手段と、払出制御用マイクロコンピュータに復帰信号を出力する第２の復帰信号出力手段とを含み、第２の復帰信号出力手段が払出制御用マイクロコンピュータに復帰信号を出力した後に、第１の復帰信号出力手段が遊技制御用マイクロコンピュータに復帰信号を出力するように構成されていてもよい。
【手続補正７】
【補正対象書類名】明細書
【補正対象項目名】００１６
【補正方法】変更
【補正の内容】
【００１６】
遊技制御用マイクロコンピュータは、遊技制御用変動データ記憶手段の記憶内容にもとづいた演算を行うことによりチェックデータを作成し、払出制御用マイクロコンピュータは、払出制御用変動データ記憶手段の記憶内容にもとづいた演算を行うことによりチェックデータを作成するように構成されていてもよい。
【手続補正８】
【補正対象書類名】明細書
【補正対象項目名】００１７
【補正方法】変更
【補正の内容】
【００１７】
遊技制御用マイクロコンピュータが信号を出力するための出力ポートを備え、遊技制御用マイクロコンピュータは、遊技制御用電力供給停止時処理で、出力ポートに出力される信号をクリアする出力ポートクリア処理を行うように構成されていてもよい。
【手続補正９】
【補正対象書類名】明細書
【補正対象項目名】００１８
【補正方法】変更
【補正の内容】
【００１８】
払出制御用マイクロコンピュータが信号を出力するための出力ポートを備え、払出制御用マイクロコンピュータは、払出制御用電力供給停止時処理で、出力ポートに出力される信号をクリアする出力ポートクリア処理を行うように構成されていてもよい。
【手続補正１０】
【補正対象書類名】明細書
【補正対象項目名】００１９
【補正方法】変更
【補正の内容】
【００１９】
遊技媒体の払い出しを行う払出手段と、該払出手段から払い出された遊技媒体を検出するための遊技媒体検出手段とを備え、払出制御用マイクロコンピュータは、電源監視手段が検出信号を出力したときに、遊技媒体検出手段からの検出信号の入力処理を所定期間実行した後、払出制御用電力供給停止時処理を行うように構成されていてもよい。
【手続補正１１】
【補正対象書類名】明細書
【補正対象項目名】００２０
【補正方法】変更
【補正の内容】
【００２０】
遊技制御用マイクロコンピュータは、電力供給が開始されたときに、定期的にタイマ割込が発生するように設定し、定期的に発生するタイマ割込が生じたことにもとづいて遊技の進行を制御するための割込処理を実行し、遊技制御用電力供給停止時処理にて、割込処理の実行を禁止する割込禁止状態または実行を許可する割込許可状態のうちいずれの状態であるかを示す割込状態データを遊技制御用変動データ記憶手段に保存させる処理を実行し、電力供給が開始されたときに、割込状態データにもとづいて割込禁止状態または割込許可状態に復旧させる状態復旧処理を行うように構成されていてもよい。
【手続補正１２】
【補正対象書類名】明細書
【補正対象項目名】００２１
【補正方法】変更
【補正の内容】
【００２１】
払出制御用マイクロコンピュータは、電力供給が開始されたときに、定期的にタイマ割込が発生するように設定し、定期的に発生するタイマ割込が生じたことにもとづいて遊技の進行を制御するための割込処理を実行し、払出制御用電力供給停止時処理にて、割込処理の実行を禁止する割込禁止状態または実行を許可する割込許可状態のうちいずれの状態であるかを示す割込状態データを払出制御用変動データ記憶手段に保存させる処理を実行し、電力供給が開始されたときに、割込状態データにもとづいて割込禁止状態または割込許可状態に復旧させる状態復旧処理を行うように構成されていてもよい。また、遊技制御用マイクロコンピュータは、入賞に応じた遊技媒体の払出数を指定する払出制御コマンドを払出制御用マイクロコンピュータに送信し、払出制御用マイクロコンピュータは、払出制御コマンドの受信に応じて、払出手段を制御して払出制御コマンドで指定された払出数の遊技媒体の払い出しを行い、払出制御コマンドを受信しているときは、割込禁止状態に制御するように構成されていてもよい。
【手続補正１３】
【補正対象書類名】明細書
【補正対象項目名】０３１０
【補正方法】変更
【補正の内容】
【０３１０】
この実施の形態では、払出制御用ＣＰＵ３７１の内蔵ＣＴＣが繰り返しタイマ割込を発生するように設定される。この実施の形態では、繰り返し周期は２ｍｓに設定される。そして、タイマ割込が発生すると、図４９に示すように、払出制御用ＣＰＵ３７１は、例えばタイマ割込が発生したことを示すタイマ割込フラグをセットする（ステップＳ７２１）。なお、図４９には割込を許可することも明示されているが（ステップＳ７２０）、２ｍｓタイマ割込処理では、最初に割込許可状態に設定される。すなわち、２ｍｓタイマ割込処理中には割込許可状態になっているので、ＩＮＴ信号の入力にもとづく払出制御コマンド受信処理を優先して実行することができる。
【手続補正１４】
【補正対象書類名】明細書
【補正対象項目名】０４２１
【補正方法】変更
【補正の内容】
【０４２１】
【発明の効果】
以上のように、本発明によれば、遊技機を、遊技制御用マイクロコンピュータおよび払出制御用マイクロコンピュータが、電源監視手段によって所定の状態になったことが検出されたことを条件に記憶内容保持手段により保持された記憶内容が正常か否かの判定に用いるチェックデータの作成処理を含む電力供給停止時処理を行った後に待機状態に移行し、電力供給再開時に、チェックデータにもとづいて記憶内容が正常であるか否かの判定を行うとともに、待機状態中に復帰信号が入力された場合に、制御状態を電力供給停止前の状態に復旧させる状態復帰制御を実行する構成としたので、復帰信号によって遊技制御用マイクロコンピュータおよび払出制御用マイクロコンピュータを制御実行状態に復帰させることが可能になり、その結果、ごく短時間で復旧する電源の瞬断等が生じても制御に支障を来すことがないという効果を得ることができる。さらに、電力供給が再開されたときに、誤った制御状態にもとづいて遊技が再開されてしまうことを防止できる効果がある。また、電源監視手段は電源基板に設けられ、単一の電源監視手段から遊技制御用マイクロコンピュータおよび払出制御用マイクロコンピュータのそれぞれに検出信号が分岐して出力されるので、電源監視手段から複数のマイクロコンピュータに検出信号を供給することができ、検出信号を必要とするマイクロコンピュータが幾つあっても電源監視手段は１つ設けられていればよいので、各マイクロコンピュータが復帰制御を行っても遊技機のコストはさほど上昇しない。
【手続補正１５】
【補正対象書類名】明細書
【補正対象項目名】０４２２
【補正方法】削除
【補正の内容】
【手続補正１６】
【補正対象書類名】明細書
【補正対象項目名】０４２３
【補正方法】変更
【補正の内容】
【０４２３】
遊技制御用マイクロコンピュータが、電力供給が開始されたときまたは復帰信号の入力に応じて、チェックデータにもとづいて遊技制御用変動データ記憶手段に記憶されている記憶内容が正常でないと判定したときには遊技制御用変動データ記憶手段の記憶内容を初期化し、払出制御用マイクロコンピュータが、電力供給が開始されたときまたは復帰信号の入力に応じて、チェックデータにもとづいて払出制御用変動データ記憶手段に記憶されている記憶内容が正常でないと判定したときには払出制御用変動データ記憶手段の記憶内容を初期化するように構成されている場合には、誤った記憶内容にもとづいて誤った制御状態が復元されてしまって不当な遊技制御がなされてしまうようなことは防止される。
【手続補正１７】
【補正対象書類名】明細書
【補正対象項目名】０４２４
【補正方法】変更
【補正の内容】
【０４２４】
操作に応じて操作信号を出力する初期化操作手段を備え、遊技制御用マイクロコンピュータは、電力供給が開始されたときまたは復帰信号の入力に応じて、初期化操作手段から操作信号が出力されているか否かを確認する遊技制御側操作信号確認処理を実行し、該遊技制御側操作信号確認処理によって初期化操作手段から操作信号が出力されていないことが確認されたときに、チェックデータにもとづいて遊技制御用変動データ記憶手段の記憶内容が正常か否かの判定を行い、払出制御用マイクロコンピュータは、電力供給が開始されたときまたは復帰信号の入力に応じて、初期化操作手段から操作信号が出力されているか否かを確認する払出制御側操作信号確認処理を実行し、該払出制御側操作信号確認処理によって初期化操作手段から操作信号が出力されていないことが確認されたときに、チェックデータにもとづいて払出制御用変動データ記憶手段の記憶内容が正常か否かの判定を行う場合には、例えば記憶内容を初期化するなどの要求が生じているときに、制御状態を復元するための処理がなされてしまうことはない。
【手続補正１８】
【補正対象書類名】明細書
【補正対象項目名】０４２５
【補正方法】変更
【補正の内容】
【０４２５】
遊技制御用マイクロコンピュータは、電力供給が開始されたときまたは復帰信号の入力に応じて、遊技制御側操作信号確認処理によって初期化操作手段から操作信号が出力されていることが確認されたときには遊技制御用変動データ記憶手段の記憶内容を初期化し、払出制御用マイクロコンピュータは、電力供給が開始されたときまたは復帰信号の入力に応じて、払出制御側操作信号確認処理によって初期化操作手段から操作信号が出力されていることが確認されたときには払出制御用変動データ記憶手段の記憶内容を初期化する場合には、遊技店員などの判断によって初期化処理を実行することが可能となり、遊技機運用上の利便性の向上を図ることができる。
【手続補正１９】
【補正対象書類名】明細書
【補正対象項目名】０４２６
【補正方法】削除
【補正の内容】
【手続補正２０】
【補正対象書類名】明細書
【補正対象項目名】０４２７
【補正方法】削除
【補正の内容】
【手続補正２１】
【補正対象書類名】明細書
【補正対象項目名】０４２８
【補正方法】変更
【補正の内容】
【０４２８】
遊技制御用マイクロコンピュータが、遊技制御用変動データ記憶手段の記憶内容にもとづいた演算を行うことによりチェックデータを作成し、払出制御用マイクロコンピュータが、払出制御用変動データ記憶手段の記憶内容にもとづいた演算を行うことによりチェックデータを作成するように構成されている場合には、記憶内容が正常であるか否かの判定に用いられるチェックデータを演算により容易に作成することができる。
【手続補正２２】
【補正対象書類名】明細書
【補正対象項目名】０４２９
【補正方法】削除
【補正の内容】
【手続補正２３】
【補正対象書類名】明細書
【補正対象項目名】０４３０
【補正方法】変更
【補正の内容】
【０４３０】
遊技制御用マイクロコンピュータおよび払出制御用マイクロコンピュータが信号を出力するための出力ポートを備え、遊技制御用マイクロコンピュータおよび払出制御用マイクロコンピュータが、遊技制御用電力供給停止時処理で、出力ポートに出力される信号をクリアする出力ポートクリア処理を行うように構成されている場合には、例えば遊技制御用マイクロコンピュータに対してはポート出力状態がオンのままであって可変入賞球装置が開放し続けるようなことがない。
【手続補正２４】
【補正対象書類名】明細書
【補正対象項目名】０４３１
【補正方法】変更
【補正の内容】
【０４３１】
遊技媒体の払い出しを行う払出手段と、該払出手段から払い出された遊技媒体を検出するための遊技媒体検出手段とを備え、払出制御用マイクロコンピュータが、電源監視手段が検出信号を出力したときに、遊技媒体検出手段からの検出信号の入力処理を所定期間実行した後、払出制御用電力供給停止時処理を行うように構成されている場合には、例えば電力供給停止直前に払出装置が払出を行ったにもかかわらず払い出された遊技媒体が検知されず、保存される残払出数と現実の残払出数とが整合しなくなってしまうようなことが防止される。